(57)【要約】【課題】シャツを包装袋に収納した包装状態のまま或いは包装袋から取り出して折り畳んだ状態のままでもハンガーに掛けて展示することが出来ると共に、長期間展示をしても、シャツの型崩れが生じないシャツの展示用具を提供する。【解決手段】シャツを収納する袋体２と、袋体２に固定され、袋体２をハンガーに吊るすための吊り下げ紐３を備え、袋体２は前片２１と後片２２を備えて構成され、袋体２の上端部には開口部２０を備えていると共に、前片２１には開口部２０と連続する窓２１０を備えているシャツ展示用具１。【選択図】  図１
2019166257.tif 000002
【特許請求の範囲】
【請求項１】
シャツを収納する袋体と、前記袋体に固定され、前記袋体をハンガーに吊るすための吊り下げ紐を備え、前記袋体は前片と後片を備えて構成され、前記袋体の上端部には開口部を備えていると共に、前記前片には前記開口部と連続する窓を備えていることを特徴とするシャツ展示用具。
【請求項２】
前記前片又は前記吊り下げ紐に固定された、ネクタイを吊り下げて保持するためのネクタイ保持紐を備えることを特徴とする請求項１に記載のシャツ展示用具。
【請求項３】
前記ネクタイ保持紐の少なくとも一端は着脱自在に固定されていることを特徴とする請求項２に記載のシャツ展示用具。
【請求項４】
前記窓の下端から前記前片にスリットを設けたことを特徴とする請求項１から３のうちいずれか１項に記載のシャツ展示用具。
【発明の詳細な説明】
【技術分野】
【０００１】
本発明は、シャツ展示用具に関し、詳しくは、折り畳まれたシャツ或いは折り畳まれて包装用袋に収納されたシャツをそのままの状態でハンガーに吊り下げることが出来、その上から背広やジャケットをハンガーに掛けて重ね掛けして展示することが出来るシャツ展示用具に関する。
【背景技術】
【０００２】
従来、ワイシャツ、ブラウス等のシャツ類は、通常、所定の大きさに折り畳まれて合成樹脂製等の透明な包装袋に収納され、陳列台に積み重ねられて販売されている。そして、購入者は自分の持っている背広やジャケット類を思い浮かべながら、自分の好みやファッションとして合うものを購入している。或いは包装袋に収納されたままのシャツ類を手に持って背広やジャケットに合わせて見ることも行われている。しかし、このような選び方では着用した際の充分なイメージが湧かないこともある。
【０００３】
そこで、シャツ類を背広やジャケット或いは更にネクタイと組み合わせてコーディネートして、ハンガーに掛けて展示する場合がある。このように、ハンガーに掛けるためには、展示するシャツ類を包装袋から取り出し、折り畳み状態を解除した上でハンガーに掛け、その上から背広、ジャケットを掛けなければならない。しかし、ハンガーに掛けて展示されたシャツ類を販売するときは、再度所定の大きさに折り畳んで透明な包装袋に収納しなければならないが、きれいに再包装することは困難であるばかりでなく、一度展示した商品は皺や汚れによって、正規の値段では販売することができず、中古品のように処分しなければならない場合があり、コスト的にも損害を受けることになる。
【０００４】
このように、シャツ類を収納された包装袋から取り出し、そのまま折り畳んだ状態でハンガーに掛けて展示することができないという問題を解決するために、背板の上部中央部にワイシャツのうしろ襟の幅よりも若干小幅の曲折片を形成するとともに、前記背板の上部に固定された懸吊片を上方に延出せしめ、前記懸吊片の上辺に係止孔を形成し、前記背板の下辺の両端部に折畳ワイシャツの両端下端部係止部を形成したシャツハンガー（特許文献１）やハンガーに係止する係止部と、シャツ類の襟と襟台の間に差し込むフック部とからなり、前記係止部は、ハンガーのフックバーを挿入する透孔を設けた天板と前記天板に連設した前板とによって形成され、フック部は前記前板の下端から上向きに突設されているハンガー用シャツ類の係止具（特許文献２）が提案され、折り畳み状態のままシャツ類と背広やジャケットとのコーディネートを視覚的に顧客に見せることができるディスプレイが提案されている。
【０００５】
上記のような従来のディスプレイ方法によれば、シャツ類を折り畳み状態のままで、スーツやジャケット等の上着とともにハンガーに吊るして同時にディスプレイすることができる。しかし、シャツ類の襟と襟台の間に曲折片或いはフック部を差し込んで襟の後方部を支持してシャツ類を保持する構成であるので、長期間の展示により襟の形が崩れ、正規の値段では販売することができず、中古品のように処分しなければならない場合があり、コスト的にも損害を受けることになるという問題点があった。
【０００６】
又、シャツハンガーや係止具は、曲折片或いはフック部に付加が掛かり、経年劣化により曲折片或いはフック部が破損し易くなるという問題点があった。又、シャツハンガーや係止具の使用に際し、シャツ類を包装袋から取り出さなければならないので、シャツ類の販売時には包装袋に入れなおす必要があり、煩雑であり、又、シャツ類を取り出した包装袋の紛失が生じやすく、新たな包装袋を用意する必要があるという問題点があった。
【０００７】
そこで、紐状部材に２つのクリップを取り付けてなり、前記２つのクリップは対向させたとき開口辺側が内側に向くように取り付けられているシャツ類のハンガー用吊下げ具が提案されている（特許文献３）。
【先行技術文献】
【特許文献】
【０００８】
【特許文献１】登録実用新案第３０５７３５５号公報
【特許文献２】登録実用新案第３１６０４０９号公報
【特許文献３】登録実用新案第３１９１６４８号公報
【発明の概要】
【発明が解決しようとする課題】
【０００９】
しかし、特許文献３に記載の発明は、襟の型崩れをある程度は防止することが出来るが、クリップによりシャツの両側を挟持して保持するので、シャツにクリップ跡がついたり、挟持する箇所によってはきれいにシャツをディスプレイ出来なかったり、シャツの型崩れが生じてしまうという問題点があった。
【００１０】
又、吊下げ具自体の破損は少ないものの、紐状部材が絡まりやすく、使用が煩雑であるという問題点があった。
【００１１】
そこで、本発明は、シャツ類（襟付きシャツ、襟なしシャツ、女性用ブラウス等）を包装袋に収納した包装状態のまま或いは包装袋から取り出して折り畳んだ状態のままでもハンガーに掛けて展示することが出来ると共に、長期間展示をしても、シャツの型崩れが生じないシャツの展示用具を提供することを目的とする。又、破損しにくく、使い勝手のよいシャツの展示用具を提供することを目的とする。
【課題を解決するための手段】
【００１２】
以上のような課題を解決するための手段としての本発明は、シャツを収納する袋体と、前記袋体に固定され、前記袋体をハンガーに吊るすための吊り下げ紐を備え、前記袋体は前片と後片を備えて構成され、前記袋体の上端部には開口部を備えていると共に、前記前片には前記開口部と連続する窓を備えていることを特徴とするシャツ展示用具である。
【００１３】
又、上記シャツ展示用具において、前記前片又は前記吊り下げ紐に固定された、ネクタイを吊り下げて保持するためのネクタイ保持紐を備えることを特徴とするシャツ展示用具である。
【００１４】
又、上記シャツ展示用具において、前記ネクタイ保持紐の少なくとも一端は着脱自在に固定されていることを特徴とするシャツ展示用具である。
【００１５】
又、上記シャツ展示用具において、前記窓の下端から前記前片にスリットを設けたことを特徴とするシャツ展示用具である。
【発明の効果】
【００１６】
以上のような本発明によれば、シャツを包装袋に収納した状態のまま或いは包装袋から取り出して折り畳んだ状態のままでもハンガーに掛けて展示することが出来、シャツをジャケット等の上着と組み合わせた時の雰囲気が分かりやすい展示が可能となると共に、長期間の展示をしても、シャツの型崩れを防止することが可能となった。又、破損しにくく、使い勝手のよいシャツの展示用具を提供することが可能となった。
【図面の簡単な説明】
【００１７】
【図１】本発明一実施例正面図
【図２】本発明一実施例使用状態図
【図３】ネクタイ保持紐付き本発明実施例正面図
【図４】ネクタイ保持紐付き本発明実施例正面図
【図５】窓の形状を変更した本発明実施例正面図
【図６】スリットを備えた本発明実施例正面図
【図７】本発明使用状態図
【図８】本発明使用状態図
【図９】本発明使用状態図
【発明を実施するための形態】
【００１８】
以下本発明の実施の形態を図を参照して説明する。尚、本発明が使用される、即ち本発明が保持するシャツは、特に限定されず、ワイシャツ、カッターシャツ、ドレスシャツ、ニットシャツ、ブラウス、ポロシャツ、Ｔシャツを含み、特に、本発明は、背広、ジャケット、ジャンパー等他の上着と組み合わせて着られるシャツでの使用に適している。従って、シャツには、ニットシャツ等の下に着られるＴシャツ等も含まれる。
【００１９】
シャツ展示用具１は、図１に示すように、袋体２、吊り下げ紐３を備えて構成されている。袋体２は、図１及び図２によく示すように、一般的に流通する際の所定の形状及び大きさに折り畳まれたシャツ１０或いは折り畳まれて包装袋１１に収納されたシャツ１０をそのままの形状及び形態で収納して保持する袋状の部材であり、前片２１と後片２２を備えて構成され、前片２１と後片２２の両側部及び底部は閉じ、上端部は開いて開口部２０を備えている。後片２２は略長方形に構成され、前片２１は外形が略長方形でＵ字型に切り欠かれて構成された窓２１０を備え、窓２１０は開口部２０と連続して構成されている。袋体２は収納されたシャツ１０を更に折り曲げ、撓ませることなく収納可能な大きさに形成され、好ましくは収納されたシャツ１０と同程度の高さに形成されている。尚、袋体２は、まちを備えていないが、まちを備える構成としてもよい。
【００２０】
窓２１０は、前片２１でシャツ１０を支持可能な限り、シャツの効果的な展示のために、出来るだけ大きくすることが好ましい。又、窓２１０の横幅Ｗはシャツ１０の襟１０１が完全に見えるように、シャツ１０の襟１０１幅以上とすることが好ましい。尚、窓２１０の形状はＵ字型に限定されず、図５に示すように、長方形型（図５（ａ））、Ｖ字型（図５（ｂ））、台形型（図５（ｃ））等でもよい。又、前片２１が袋体２の上端部に達しないで後片２２の中間部までの高さの構成（図５（ｄ）、図５（ｆ））、前片２１が袋体２の両端部のみに設けられ、窓２１０が袋体２の下端に達する構成（図５（ｅ）、図５（ｆ））、前片２１が袋体２の上端部に達しないで後片２２の中間部までの高さ、且つ前片２１が袋体２の両端部のみに設けられ、窓２１０が袋体２の下端に達する構成（図５（ｆ））としてもよい。尚、図示はしないが、後片２２にもその一部を切り欠いて開口部２０と連続する又は連続しない窓を設ける構成としてもよい。
【００２１】
又、図６に示すように、シャツ１０を袋体２に入れやすくするために、窓２１０の下端から前片２１に直線状のスリット７１（図６（ａ））や切欠き状のスリット７２（図６（ｂ））を設けることとしてもよい。
【００２２】
袋体２の材質は特に限定されず、不織布等の布、ポリエチレン等の合成樹脂等を用いることが出来、柔軟性があることが好ましいが、柔軟性がない材質でもよい。袋体２の内側は、シャツの出し入れの容易性のため、滑りやすい材質であることが好ましく、不織布を用い、袋体２の内側に合成樹脂のコーティングを施した構成とすることが出来る。又、袋体２の材質は、ポリエステル製不織布等の合成樹脂製の不織布が、軽量であり取扱いが容易で、又、生地に、はりやこしがあるので、シャツの出し入れが容易であり、又、軟らかいシャツの形状を維持した保持が可能となるので好ましい。又、収納するシャツの生地等により袋体２の剛性を変化させることが好ましい。袋体２の剛性の変化は、袋体２の材質を変化させたり、前片２１又は／及び後片２２の厚みを変化させることで達成出来る。特に、女性用のブラウス等の軟らかい生地のシャツの展示をするためには、袋体２の剛性を高めることが好ましい。
【００２３】
吊り下げ紐３は袋体２をハンガー９に吊るすための紐であり、袋体２の両側端上部に固定されている。吊り下げ紐３が袋体２の両側端に固定されている構成により、吊り下げ紐３が絡まり難く、容易に使用が出来る。吊り下げ紐３の形状は特に限定されないが、絡まり難く、使用の容易性から、帯状体とすることが好ましい。図１〜図４に示す実施の形態では、吊り下げ紐３は前片２１の表面２１１に固定されているが、前片２１の内面２１２、後片２２の表面、又は、図５（ｄ）及び図５（ｆ）に示すように、後片２２の内面２２２に固定された構成としてもよい。特に、前片２１が袋体２の上端部に達しないで後片２２の中間部までの構成の場合には、吊り下げ紐３は、固定袋体２の前片２１に固定された構成としてもよいが、図５（ｄ）及び図５（ｆ）に示すように、袋体２の後片２２に固定された構成とすることが出来る。
【００２４】
吊り下げ紐３は、その材質に応じて、縫製や溶着等により袋体２から外すことが出来ないように固定して設置してもよいが、面ファスナーやスナップボタン等を用いて袋体２に着脱自在に設置することとしてもよい。又、吊り下げ紐３の材質は、シャツを収納したシャツ展示用具１をハンガー９に吊り下げることが出来る強度があれば特に限定されず、袋体２と同一の材質でもよいが、異なる材質でもよい。
【００２５】
更に、シャツ展示用具１は、図３及び図４に示すように、ネクタイを吊り下げて保持するためのネクタイ保持紐４を備える構成としてもよい。このような構成とすることで、図８及び図９に示すように、シャツ１０と上着８１に加えてネクタイ８２を同時に効果的に展示することが容易となる。ネクタイ保持紐４は袋体２の前片２１の両側端上部に固定されている。ネクタイ保持紐４が袋体２の両側端に固定されている構成により、ネクタイ保持紐４が絡まり難く、容易に使用が出来る。ネクタイ保持紐４の形状は特に限定されないが、絡まり難く、使用の容易性から、帯状体とすることが好ましい。図３及び図４に示すように、ネクタイ保持紐４は前片２１の表面２１１に固定されているが、前片２１の裏面２１２又は吊り下げ紐３に固定された構成とすることとしてもよい。又、ネクタイ保持紐４は、図４に示すように、吊り下げ紐３と同一の太さでもよいが、図３に示すように、ネクタイの結びに通しやすいように、吊り下げ紐３より細くすることが好ましい。
【００２６】
ネクタイ保持紐４の少なくとも一端は着脱自在に固定されていることが好ましく、具体的には、面ファスナーやスナップボタン等で前片２１に着脱自在に固定された構成とすることが好ましい。ネクタイ保持紐４の両端が着脱出来ずに固定されている場合には、ネクタイをネクタイ保持紐４に結び付ける作業が必要となり、煩雑であるが、ネクタイ保持紐４が着脱自在に固定されている構成とすることで、予め結ばれたネクタイの結び目にネクタイ保持紐４を通せばネクタイを保持することが出来るので、極めて容易にネクタイを加えた展示が可能となる。
【００２７】
面ファスナー５を用いる場合、ネクタイ保持紐４側に設ける面ファスナー５は、ネクタイの損傷を防止するために、フック部材を備えたフック片５２に比べて軟らかいループ部材を備えたループ片５１とすることが好ましい。又、面ファスナー５のフック片５２は、前片２１の表面２１１又は裏面２１２に配置してもよいが、吊り下げ紐３の裏面３１に配置することが好ましい。このような構成とすることで、面ファスナー５のフック片５２が前片２１の表面２１１又は裏面２１２に対向する状態となり、露出せず、袋体２の内部に収納されたシャツ或いは袋体２の前片２１の表面２１１に接する上着等の損傷を防止することが出来るからである。
【００２８】
図３に示すように、吊り下げ紐３とネクタイ保持紐４は、夫々別部材で構成して袋体２に固定する構成としてもよいが、図４に示すように、同一部材で構成してもよい。即ち、１本の紐状体６を用いて、紐状体６の一端が袋体２の前片２１の一側端上部に固定され、紐状体６の中間部が前片２１の他側端上部に固定され、紐状体６の他端部が前片２１の一側端上部に固定され、吊り下げ紐３とネクタイ保持紐４を構成してもよい。尚、上述のネクタイ展示の容易性から、紐状体６の他端部は着脱自在に固定されている構成とすることが好ましい。
【００２９】
袋体２の製造方法は、特に限定されないが、袋体２が布製の場合には、１枚の部材を前片２１と後片２２の底部となる箇所で折り返し、両側部を縫製して製造することが出来る。又、合成樹脂製の場合には、１枚の部材を前片２１と後片２２の底部となる箇所で折り返し、前片２１と後片２２の両側部を溶着して製造することが出来る。前片２１と後片２２を別々の部材として、夫々の両側部及び底部を縫製や溶着等により接続することとしてもよい。又、袋体２と吊り下げ紐３又はネクタイ保持紐４との固定は、その材質に応じて、縫製や溶着等により接続する。又、吊り下げ紐３やネクタイ保持紐４を着脱自在とする場合には、面ファスナーやスナップボタン等を縫製や溶着等により取付ける。このような単純な構成で、破損しにくい材質を用いることで、破損しにくく、使い勝手のよいシャツ展示用具とすることが出来る。
【００３０】
次に、シャツ展示用具１の使用方法について説明する。図７に示すように、包装袋１１に収納されたシャツ１０を包装袋１１ごと、或いは図８に示すように、包装袋から取り出されたシャツ１０を、シャツ１０の前身ごろが窓２１０から見えるように前向きに袋体２に収納する。ネクタイ８２を一緒に展示する場合には、ネクタイ保持紐４を備えるシャツ展示用具１を用い、図８に示すように、予め結び目を設けたネクタイ８２の結び目にネクタイ保持紐４を通し、面ファスナー５でネクタイ保持紐４を固定する。そして、吊り下げ紐３をハンガー９の中央部の首部９１に掛ける。更に、図９に示すように、上着８１をハンガー９に掛けて、展示する。シャツ１０は畳まれた状態で袋体２に収納されているので、長期間展示をしても、型崩れが生じることがない。特に、シャツ１０を包装袋１１に収納したまま袋体２に収納することで、より型崩れが生じることがない。
【００３１】
シャツを替えて展示する際には、上着８１をハンガー９からはずし、吊り下げ紐３をハンガー９の中央部の首部９１から外して、収納されているシャツ１０を袋体２から取出し、他のシャツ１０を袋体１２に入れ、以後は上述の通りの手順で新たなシャツを展示する。尚、上着８１をハンガー９からはずさないで、掛けたままでもよく、又、吊り下げ紐３をハンガー９から外さないで、シャツ１０を袋体２から出し入れすることも出来る。このように、シャツ展示用具１を用いることで、容易にシャツの展示を行うことが出来る。
【産業上の利用可能性】
【００３２】
以上のような本発明によれば、シャツをジャケット等の上着と組み合わせた時の雰囲気が分かりやすい展示が可能であるので、シャツの販売現場で利用されると共に、シャツの需要増大によるシャツの生産業の発展に寄与することが出来る。
【符号の説明】
【００３３】
１      シャツ展示用具
１０    シャツ
１０１  シャツの襟
２      袋体
２０    開口部
２１    前片
２１０  窓
２２    後片
３      吊り下げ紐
４      ネクタイ保持紐
５      面ファスナー
６      紐状体
７１    スリット
８１    上着
８２    ネクタイ
９      ハンガー
【図１】
2019166257.tif 000003
【図２】
2019166257.tif 000004
【図３】
2019166257.tif 000005
【図４】
2019166257.tif 000006
【図５】
2019166257.tif 000007
【図６】
2019166257.tif 000008
【図７】
2019166257.tif 000009
【図８】
2019166257.tif 000010
【図９】
2019166257.tif 000011